(57)【特許請求の範囲】
【請求項１】
上受皿の裏面側に、該上受皿に保留された遊技球を１個ずつ発射レール上に供給する球供給装置を配置した弾球遊技機であって、
前記球供給装置は、
前記上受皿の裏面に固着され、前記上受皿に保留された遊技球が通過可能な球通過穴を有するベース板と、
前記ベース板上であって前記球通過穴の周囲に前記発射レール側に向けて突設される球通過枠と、
前記球通過枠の内部に形成される球通過路と、
前記球通過枠の左右側面のうち一方の側面に配置され、前記発射レール側よりも前記球通過穴側の厚みを薄くした球止傾斜部を有する球止部材と、
前記球通過枠の左右側面のうち他方の側面に前記球止部材と対向して配置され、前記発射レール側よりも前記球通過穴側の厚みを厚くした球押傾斜部を有する球押部材と、
前記球止部材を前記球押部材側に向けて付勢するコイルバネと、
所定の周期でオンオフされ、該オンオフに連動して突出後退するプランジャーを有する電磁ソレノイドと、を含んで構成され、
前記球押部材は、前記プランジャーと連結されて該プランジャーの突出後退に連動するように配置されており、
前記電磁ソレノイドがオフされて前記プランジャーが突出したとき、前記球押部材は、前記球押傾斜部が前記球通過路外に位置する待機状態となるとともに、前記球止部材は、前記コイルバネの付勢力によって前記球止傾斜部が前記球通過路内に突出する待機状態となり、前記上受皿に保留された遊技球のうち先に前記球通過穴を通過する先行遊技球は、前記球通過路に入球して該球通過路内に保留され、
前記電磁ソレノイドがオンされて前記プランジャーが後退したとき、前記球押部材は、前記球押傾斜部を前記球通過路内に突出させた状態となって、前記球押傾斜部が前記先行遊技球を押圧するとともに、前記球押部材が該先行遊技球に続いて前記球通過穴を通過する後続遊技球の前記球通過路への入球を阻止し、前記球押傾斜部に押圧された前記先行遊技球は、前記球止傾斜部を前記コイルバネの付勢力に抗して押圧しつつ前記発射レール側に押し出されることで前記発射レール上に供給され、
前記先行遊技球が前記発射レール側に押し出されると、前記球止部材は、前記コイルバネの付勢力によって前記球止傾斜部が前記球通過路内に突出する待機状態となることを特徴とする弾球遊技機。
【発明の詳細な説明】
【０００１】
【発明の属する技術分野】
本発明は、少なくとも上受皿に保留された遊技球を１個ずつ発射レール上に供給する球供給装置を備えた弾球遊技機に関する。
【０００２】
【従来の技術】
従来の弾球遊技機の球供給装置としては、図６〜図９に示す球供給装置７０が知られている。図６は球供給装置７０の裏面を示す分解斜視図であり、球供給装置７０は大きく分けると、本体カバー７１、球供給部材７２、電磁石７３とにより構成されている。
本体カバー７１裏面には球入口７４が形成されており、球入口７４の下方には球出口７５が貫設されている。球入口７４は図示されない弾球遊技機の上受皿の球出口を介して皿部材裏面側に移動されてきた遊技球を受入れ、球出口７５は前記遊技球を球供給装置７０の外部に排出させるように構成されている。更に球入口７４及び球出口７５の左側には遊技球を球入口７４から球出口７５に誘導する球通路板７６が突設されている。本体カバー７１の４隅には本体カバー７１を皿部材裏面に取り付けるためのビス穴（図示略）が貫設されており、本体カバー７１裏面の右端中央付近には軸ピン７７が取り付けられている。また、球入口７４と軸ピン７７の間の上方であって、本体カバー７１正面には電磁石取付部７８が形成されており、電磁石取付部７８上方には、中心にビス穴（図示略）を有するスペーサー７９が形成されている。
【０００３】
球供給部材７２は、軸受部７２ａと、球止部７２ｂと、球受部７２ｃとにより構成されており、球止部７２ｂの上面には鉄片８０が固着されている。また、球受部７２ｃの上面には本体カバー７１に向かって下方向に傾斜が設けられている。この球供給部材７２は軸受部７２ａを軸ピンに７７に挿入することにより回動自由に軸着される。
【０００４】
電磁石７３は略四角柱形状で中央に貫設穴（図示略）を有しており、略逆Ｕの字に形成された鉄板８１の左片を前記貫設穴に挿入させることにより鉄板８１に固着されている。
この電磁石７３は、鉄板８１の下部を本体カバー７１の電磁石取付部７８に嵌合し、鉄板８１の貫通穴８１ａとスペーサー７９の軸穴を整合させビス（図示略）でビス止めされ本体カバー７１正面に固着される。
【０００５】
この球供給装置７０は皿部材の裏面にビス等によって固定されるが、球供給装置７０の球入口７４を皿部材裏面側の球出口と整合するように取り付けられる。
この状態においては、皿部材裏面側の球出口から排出されてきた遊技球は球供給装置７０の球入口７４に移動可能である。
【０００６】
上述した球供給装置７０の電磁石７３の電源がオフの時は、図７に示すように球供給部材７２は自重により球止部７２ｂが略水平になる状態で待機されており、この時、球止部７２ｂの先端と球通路板７６の角８２との間は遊技球が通過不可能に構成されている。同時に、球受部７２ｃは球出口７５の下部に位置し、球出口７５からの遊技球の流出が可能にされている。この状態で皿部材裏面側の球出口を介して球入口７４に移動されてきた先行遊技球Ｂ１は球止部７２ｂの先端と球通路板７６の角８２との間に保留された状態となる。
電磁石７３の電源をオンにすると電磁石７３に磁力が発生し、同時に鉄板８１にも磁力が発生する。すると図８に示すように球供給部材７２の球止部７２ｂに固着されている鉄片８０が電磁石７３の鉄板８１に吸着されるので球供給部材７２は軸ピン７７を軸として上動する。その時、同時に上動した球止部７２ｂの先端と球通路板７６の角８２との間は広がり、球入口７４近辺に保留されている先行遊技球Ｂ１は通過可能となり球誘導板７６に誘導され下方に落下するが、球受部７２ｃも上動し球出口７５を塞ぐので先行遊技球Ｂ１は球受部７２ｃ上に保留される。この状態においては、後続遊技球Ｂ２は球入口７４に入球可能であるが、球出口７５上方は先行遊技球Ｂ１によって占拠されているので先行遊技球Ｂ１上で保留される。
電磁石７３の電源を再度オフにすると球供給部材７２は前述した待機状態に戻り球受部７２ｃに保留されている先行遊技球Ｂ１は図９に示すように球受部７２ｃの傾斜に誘導され、球出口７５から排出されるが、同時に球止部７２ｂと角８２によって後続遊技球Ｂ２は引続き球入口７４近辺に保留される。
このようにして球供給装置７０は、皿部材裏面側の球出口から送られてきた遊技球を１個ずつ排出し、周知の発射レール上に供給するものであった。
【０００７】
【発明が解決しようとする課題】
しかしながら、このような従来の弾球遊技機の球供給装置では、球供給部材の移動によって球供給装置の球出口からの排出を許容された遊技球は自重によって発射レール上に供給されるので、遊技球が球供給装置の球出口から発射レール上に供給されるまでの時間には限界があった。これにより、遊技球を連続して発射（通常は一分間に１００個程度）させた場合に、遊技球が発射レール上に静止していない状態で周知の発射装置の槌で叩打してしまい、遊技球の発射に支障を与える虞が考えられた。
【０００８】
【課題を解決するための手段】
上記課題を解決するために、本発明の弾球遊技機は、上受皿の裏面側に、該上受皿に保留された遊技球を１個ずつ発射レール上に供給する球供給装置を配置した弾球遊技機であって、前記球供給装置は、前記上受皿の裏面に固着され、前記上受皿に保留された遊技球が通過可能な球通過穴を有するベース板と、前記ベース板上であって前記球通過穴の周囲に前記発射レール側に向けて突設される球通過枠と、前記球通過枠の内部に形成される球通過路と、前記球通過枠の左右側面のうち一方の側面に配置され、前記発射レール側よりも前記球通過穴側の厚みを薄くした球止傾斜部を有する球止部材と、前記球通過枠の左右側面のうち他方の側面に前記球止部材と対向して配置され、前記発射レール側よりも前記球通過穴側の厚みを厚くした球押傾斜部を有する球押部材と、前記球止部材を前記球押部材側に向けて付勢するコイルバネと、所定の周期でオンオフされ、該オンオフに連動して突出後退するプランジャーを有する電磁ソレノイドと、を含んで構成され、前記球押部材は、前記プランジャーと連結されて該プランジャーの突出後退に連動するように配置されており、前記電磁ソレノイドがオフされて前記プランジャーが突出したとき、前記球押部材は、前記球押傾斜部が前記球通過路外に位置する待機状態となるとともに、前記球止部材は、前記コイルバネの付勢力によって前記球止傾斜部が前記球通過路内に突出する待機状態となり、前記上受皿に保留された遊技球のうち先に前記球通過穴を通過する先行遊技球は、前記球通過路に入球して該球通過路内に保留され、前記電磁ソレノイドがオンされて前記プランジャーが後退したとき、前記球押部材は、前記球押傾斜部を前記球通過路内に突出させた状態となって、前記球押傾斜部が前記先行遊技球を押圧するとともに、前記球押部材が該先行遊技球に続いて前記球通過穴を通過する後続遊技球の前記球通過路への入球を阻止し、前記球押傾斜部に押圧された前記先行遊技球は、前記球止傾斜部を前記コイルバネの付勢力に抗して押圧しつつ前記発射レール側に押し出されることで前記発射レール上に供給され、前記先行遊技球が前記発射レール側に押し出されると、前記球止部材は、前記コイルバネの付勢力によって前記球止傾斜部が前記球通過路内に突出する待機状態となることを特徴とする。
【０００９】
【発明の実施の形態】
上記のように構成された弾球遊技機においては、球供給装置の駆動手段がオフの時には先行遊技球は球通過路に入球するが、球止手段によって通過を阻止され球通過路内に保留される。駆動手段をオンにすると、保留されている先行遊技球は駆動手段に連動される球押手段によって発射レール側に押し出されるが、その際、球止手段は先行遊技球の動作によって押され先行遊技球の通過を許容し、先行遊技球は発射レール上に供給される。同時に球押手段は駆動手段がオンの時、後続遊技球の球通過路への入球を阻止するが、駆動手段を再びオフにすると、後続遊技球は球通過路に入球し先行遊技球となる。これにより、上受皿に保留された遊技球を１個ずつ発射レール上に供給するよう作用する。
【００１０】
【具体例】
本発明の弾球遊技機について、図１〜図５を参照にして説明する。
図１に示す弾球遊技機１には遊技盤２が備えられると共に、遊技盤２の前面は、ガラス枠３を介して前面枠４に装着された二重のガラス５ａ，５ｂで覆われている。これにより、遊技盤２と内側のガラス５ａの間には遊技領域６が形成される。
【００１１】
前面枠４の上部にはいわゆる大当りが発生した時に点滅する大当りランプ７が組み付けられている。また、前面枠４は、右側部に設けられた鍵８を操作することにより、左側部の裏面側に装着されているヒンジ（図示略）を軸として開閉可能である。
前面枠４の下方には上受皿１０が設けられた上皿部材１１が配されており、更に上皿部材１１の下方には下受皿１２が設けられた下皿部材１３が配されている。上受皿１０及び下受皿１２には、それぞれに弾球遊技機１からの遊技球を排出するための上皿排出口１４及び下皿排出口１５が開口している。また、上皿部材１１には複数の小長穴からなるスピーカー面１６が設けられており、スピーカー面１６の裏面には遊技状態に応じて音声を発生するスピーカー（図示略）が装着されている。更に上受皿１０内の右端近辺には、遊技球を上皿部材１１の裏面側に排出するための球出口１７が貫設されており、上受皿１０内に保留されている遊技球が球出口１７を介して上皿部材１１の裏面側に誘導されるように構成されている。
尚、遊技球は下皿部材１３に設けられた操作ハンドル１８を操作することにより遊技領域６上に発射される。
【００１２】
上皿部材１１は左側部の裏面側に装着されているヒンジ（図示略）を軸として開閉可能であるが、通常の使用時には、上皿部材１１は前面枠４によって上辺部分を押えられ開放を防止されている。従って、上皿部材１１を開くには、前面枠４を開放し右裏側のロック（図示略）を解除する必要がある。
前面枠４及び上皿部材１１は、前述した各々のヒンジを介して後述する裏盤２０の正面に配置され、遊技盤２は裏盤２０の裏面に固定されている。また、下皿部材１３は裏盤２０の正面に固定されている。
【００１３】
次に前述した裏盤２０について説明する。
図２に示すように、裏盤２０の上方には略長方形状の貫通穴２１が設けられており、この貫通穴２１は、遊技盤２を裏盤２０裏面に取り付けた際に、遊技盤２の前面が露出される大きさに形成されている。また、裏盤２０の下方には取付面２２が形成されており、取付面２２右側には発射レール２３が取り付けられている。この発射レール２３の下方には槌２４を回動自由に備えたロータリーソレノイド（図示略）が配設されており、このロータリーソレノイドは操作ハンドル１８を操作することにより槌２４を回動させ、槌２４の先端で発射レール２３上の遊技球を叩打可能に構成されている。
【００１４】
更に裏盤２０には、前述した上受皿１０及び下受皿１２の上皿排出口１４及び下皿排出口１５の各々に対応した位置に上皿流出口２５及び下皿流出口２６が貫設されている。上皿流出口２５は裏盤２０の裏面に備えられている遊技球流通機構（図示略）から排出されてきた遊技球を上皿排出口１４を介して上受皿１０に排出させ、下皿流出口２６は上受皿１０が遊技球で満たされている場合に、前記遊技球流通機構から排出されてきた遊技球を下皿排出口１５を介して下受皿１２に排出させるように構成されている。
尚、遊技盤２及び裏盤２０の裏面には、弾球遊技機１を制御する電子制御装置やその他機構等が備えられているが、これらは周知の技術であり図示及び説明は省略する。
【００１５】
次に上皿部材１１の裏面に配置され、上受皿１０の球出口１７から排出されてきた遊技球を発射レール２３上に供給する球供給装置３０について図３〜図５を参照にして説明する。
図３に示すように球供給装置３０は、大きく分けるとベース板３１と、ベース板３１に回動自由に軸着される球止部材３２及び球押部材３３と、電磁ソレノイド３４と、電磁ソレノイド３４の動作に連動するスライド板３５とにより構成されている。
ベース板３１の右端近辺には左辺、上辺、右辺から成るソレノイド取付枠３６が突設されており、ベース板３１上であって、ソレノイド取付枠３６の左方には所定の間隔を置いて球通過穴３７が貫設されている。また、球通過穴３７の周囲には球通過枠３８が突設されており、球通過枠３８内に球通過路３９が形成される。更に、球通過枠３８の右側面には球押部材移動穴４０が貫設されており、球通過枠３８の左側面には球止部材移動溝４１が形成されている。
【００１６】
ソレノイド取付枠３６の下方であってベース板３１の下部近辺にはストッパー４２が、ベース板３１の左端上方近辺にはバネ掛止部４３が突設されている。更にベース板３１の上端部近辺であって球通過枠３８左側面の垂直線上には軸ピン４４が、ベース板３１の下端部であって球通過枠３８右側面の垂直線上には軸ピン４５が突設されている。
【００１７】
次に軸ピン４４及び軸ピン４５に軸着される球止部材３２及び球押部材３３について詳しく説明する。
球止部材３２は中央に軸穴３２ａが貫設された軸受部３２ｂと、軸受部３２ｂ底面から下方向けてに突設された球止杵３２ｃとにより構成されている。この球止杵３２ｃの左側面略中心近辺にはバネ掛止部３２ｄが突設されており、右側面の中心近辺より下には球止杵３２ｃ前面側よりも後方側の厚みを薄くした傾斜部３２ｅが突設されている。
この球止部材３２は、球止杵３２ｃが下方に位置するようにして軸ピン４４に軸穴３２ａを挿入させて軸着されるが、軸ピン４４は軸穴３２ａの長さより若干長く形成されているので、球止部材３２の軸穴３２ａを軸ピン４４に挿入した状態においても軸ピン４４は軸穴３２ａより前面側に突出される。更にこの状態で軸ピン４４にはコイルバネ４６が挿入され、軸ピン４４の先端には止め部材４７が挿入固着される。
【００１８】
前述したコイルバネ４６の両端の一端には左斜め下方に向かって掛止部４６ａが、他端には下方に向かって掛止部４６ｂが延設されている。また、掛止部４６ａの先端は正面から見て略逆Ｌ字状に、掛止部４６ｂの先端は右側面から見て略Ｌ字状に形成されており、掛止部４６ａの先端はベース板３１のバネ掛止部４３の上面に掛止され、掛止部４６ｂの先端は球止部材３２のバネ掛止部３２ｄの上面に掛止される。尚、コイルバネ４６の掛止部４６ａと掛止部４６ｂとの間は、通常、所定の間隔をたもたれているが、外力によって前記間隔を狭められても元の間隔に戻ろうと反発するように構成されている。
【００１９】
球押部材３３は中心に軸穴３３ａが貫設された軸受部３３ｂと、軸受部３３ｂ上面から上方に突設された球押杵３３ｃと、軸受部３３ｂ右側面から右方に突設された係合杵３３ｄとにより構成されている。
この球押杵３３ｃの左側面の中心付近より上には球押杵３３ｃ正面側よりも後方側の厚みを厚くした傾斜部３３ｅが突設されている。
この球押部材３３は、球押杵３３ｃが球通路枠３８とソレノイド取付枠３６との間に位置するようにして軸ピン４５に軸穴３３ａを挿入して軸着されるが、軸ピン４５は軸穴３３ａの長さより若干長く形成されているので、球押部材３３の軸穴３３ａを軸ピン４５に挿入した状態においても軸ピン４５は軸穴３３ａより前面側に突出される。更にこの状態で軸ピン４５の先端には止め部材４８が挿入固着される。
【００２０】
尚、前述したベース板３１の球押部材移動穴４０は、球押部材３３の傾斜部３３ｅが球通過路３９内に突出後退自由となるような大きさに形成されており、球止部材移動溝４１は、球止部材３２の傾斜部３２ｅが球通過路３９内に突出後退自由となるような大きさに形成されている。
【００２１】
電磁ソレノイド３４は、図３及び図４に示すように、底面中心に貫通穴（図示略）を有する収納枠５０に円筒状の電磁石５１を、電磁石５１の空洞部と前記貫通穴とを整合させて収納させ、前記貫通穴を介して電磁石５１の空洞部にプランジャー５２を突出後退可能に備えて構成されている。
プランジャー５２の下部にはフランジ５２ａが形成されており、プランジャー５２にはコイルバネ５３が挿入されている。また、フランジ５２ａには後述するスライド板３５が取り付けられる。コイルバネ５３は収納枠５０底面とフランジ５２ａとの間に位置しており、プランジャー５２は通常コイルバネ５３の付勢力によって下方に突出されている。
【００２２】
前述したスライド板３５の正面には嵌合溝３５ａが刻設されており、左側面には係合凹部３５ｂが形成されている。この嵌合溝３５ａには電磁ソレノイド３４のプランジャー５２のフランジ５２ａが嵌合され、この状態で電磁ソレノイド３４はソレノイド取付枠３６内に取り付けられるが、その際、スライド板３５の係合凹部３５ｂは球押部材３３の係合杵３３ｄに係合される。
【００２３】
上記に説明した球供給装置３０は、ベース板３１の裏面を弾球遊技機１の上皿部材１１裏面に固着して取り付けられるが、その際、球供給装置３０の球通過穴３７と上受皿１０の球出口１７が整合するように位置される。これにより、上受皿１０の球出口１７を経て上皿部材１１裏面側に排出されてきた遊技球は球供給装置３０の球通過穴３７を経て球通過路３９内に入球可能となる。
尚、球供給装置３０は裏盤２０の発射レール２３の上方に位置されており、球通過路３９を経て発射レール２３側に排出された遊技球は発射レール２３上に落下し発射レール２３の右端に保留される。
【００２４】
次に、球供給装置３０の動作について図４及び図５を参照して説明する。
図４（ａ）及び図５（ａ）に示すように、球供給装置３０の電磁ソレノイド３４がオフの時は電磁ソレノイド３４のプランジャー５２はコイルバネ５３の付勢力により下方に突出されており、プランジャー５２のフランジ５２ａと嵌合されているスライド板３５はストッパー４２上に待機されている。この時、スライド板３５に係合されている球押部材３３は、球押杵３３ｃの先端の傾斜部３３ｅの左下方が若干球通過路３９内に突出された状態で待機されている。
また、球止部材３２はコイルバネ４６の付勢力によって右方向に押されているが、球止杵３２ｃが球通過枠３８の上面左端に干渉した位置で待機される。この時、球止杵３２ｃの先端の傾斜部３２ｅは球通過路３９内に突出されている。
この状態においては、弾球遊技機１の上受皿１０の球出口１７を経てベース板３１の球通過穴３７に流出されてきた先行遊技球Ｂ１は球通過路３９内に入球するが、球止部材３２の傾斜部３２ｅによって球通過路３９内に保留される。また、先行遊技球Ｂ１の後から流出されてきた後続遊技球Ｂ２は先行遊技球Ｂ１の後方で待機される。
【００２５】
電磁ソレノイド３４をオンすると、図４（ｂ）及び図５（ｂ）に示すように、プランジャー５２は電磁石５１の磁力よって引き寄せられ上動し、同時にプランジャー５２のフランジ５２ａに嵌合されているスライド板３５を上動させる。スライド板３５が上動すると、スライド板３５の係合凹部３５ｂに係合されている係合杵３３ｄも上方に移動され、球押部材３３は軸ピン４５を軸として左回動をする。この時、球押部材３３の傾斜部３３ｅは球押部材移動穴４０を介して球通過路３９内に突出し、球通過路３９内に保留されている先行遊技球Ｂ１を矢印Ａ方向に押し出そうとする。球押部材３３の傾斜部３３ｅに押された先行遊技球Ｂ１は球通過路３９の左方向に移動しながら球止部材３２の傾斜部３２ｅを押し、球止部材３２を軸ピン４４を軸として右回動させる。これにより、傾斜部３２ｅは球通過路３９外に後退されるので、先行遊技球Ｂ１は球押部材３３の傾斜部３３ｅによって球通過路３９から発射レール２３側に押し出される。また、球止部材３２は先行遊技球Ｂ１が球通過路３９外へ排出されると、コイルバネ４６の付勢力によって前述した待機状態に戻る。
尚、球押部材３３の傾斜部３３ｅは前述したように球通過路３９内の先行遊技球Ｂ１を押し出すと同時に傾斜部３３ｅの裏面で後続遊技球Ｂ２の球通過路３９内への入球を阻止する。
【００２６】
電磁ソレノイド３４を再びオフにするとプランジャー５２がコイルバネ５３の付勢力によって下方に突出されるので、球押部材３３も前述した待機状態に戻り、後続遊技球Ｂ２は球通過路３９内に入球し球止部材３２の傾斜部３２ｅによって球通過路３９内に保留される。後続遊技球Ｂ２は球通過路３９内に入球した時点で先行遊技球となり、この遊技球の後方に新たな後続遊技球が保留されると再度図４（ａ）及び図５（ａ）に示す状態となる。
上記ように構成された球供給装置３０によって、上受皿１０の球出口１７から流出されてきた遊技球は１個ずつ裏盤２０の発射レール２３上に供給される。
【００２７】
本具体例の弾球遊技機１よると、上受皿１０の球出口１７から流出されてきた遊技球は、球供給装置３０の球押部材３３の傾斜部３３ｅによって押し出されるので、迅速に且つ確実に遊技球を発射レール２３上に供給することができるという優れた効果を奏する。
また、遊技球を迅速に発射レール２３上に供給することにより遊技球が発射レール２３上で静止するまでの時間を短縮することができるので、遊技球の発射に支障を与える虞がなくなるという効果も有する。
【００２８】
尚、本具体例においては、電磁ソレノイド３４が駆動手段に対応し、球押部材３３が球押手段に対応する。また、球止部材３２が球止手段に対応する。
【００２９】
【発明の効果】
以上詳細に説明したように、本発明の弾球遊技機によると、上受皿から流出されてきた遊技球は、球供給装置の球押手段によって押し出されるので、迅速に且つ確実に遊技球を発射レール上に供給することができるという優れた効果を奏する。
また、遊技球を迅速に発射レール上に供給することにより遊技球が発射レール上で静止するまでの時間を短縮することができるので、遊技球の発射に支障を与える虞がなくなるという効果も有する。
【図面の簡単な説明】
【図１】本具体例の弾球遊技機を示す正面図である。
【図２】本具体例の弾球遊技機の裏盤を示す正面図である。
【図３】本具体例の球供給装置を示す斜視分解図である。
【図４】本具体例の球供給装置の動作を示す摸式図であり、図４（ａ）電磁ソレノイドがオフの状態を示し、図４（ｂ）は電磁ソレノイドがオンの状態を示す正面図である。
【図５】本具体例の球供給装置に入球した遊技球の動作を示す摸式図であり、図５（ａ）は電磁ソレノイドがオフの状態を示し、図５（ｂ）は電磁ソレノイドがオンの状態を示す平面図である。
【図６】従来の弾球遊技機の球供給装置を示す斜視分解図である。
【図７】  従来の弾球遊技機の球供給装置の動作を示す摸式図であり、電磁石がオフの状態を示す正面図である。
【図８】  従来の弾球遊技機の球供給装置の動作を示す摸式図であり、電磁石がオンの状態を示す正面図である。
【図９】  従来の弾球遊技機の球供給装置の動作を示す摸式図であり、電磁石が再びオフになった状態を示す正面図である。
【符号の説明】
１・・・弾球遊技機        ２・・・遊技盤          ３・・・ガラス枠
４・・・前面枠                ５ａ，５ｂ・・・ガラス
６・・・遊技領域          ７・・・大当りランプ    ８・・・鍵
１０・・・上受皿          １１・・・上皿部材      １２・・・下受皿
１３・・・下皿部材        １４・・・上皿排出口    １５・・・下皿排出口
１６・・・スピーカー面        １７，７５・・・球出口
１８・・・操作ハンドル        ２０・・・裏盤
２１，８１ａ・・・貫通穴      ２２・・・取付面
２３・・・発射レール          ２４・・・槌        ２５・・・上皿流出口
２６・・・下皿流出口          ３０，７０・・・球供給装置
３１・・・ベース板            ３２・・・球止部材
３２ａ，３３ａ・・・軸穴      ３２ｂ，３３ｂ，７２ａ・・・軸受部
３２ｃ・・・球止杵            ３２ｄ，４３・・・バネ掛止部
３２ｅ，３３ｅ・・・傾斜部    ３３・・・球押部材
３３ｃ・・・球押杵            ３３ｄ・・・係合杵
３４・・・電磁ソレノイド  ３５・・・スライド板    ３５ａ・・・嵌合溝
３５ｂ・・・係合凹部          ３６・・・ソレノイド取付枠
３７・・・球通過穴        ３８・・・球通過枠      ３９・・・球通過路
４０・・・球押部材移動穴      ４１・・・球止部材移動溝
４２・・・ストッパー          ４４，４５，７７・・・軸ピン
４６，５３・・・コイルバネ    ４６ａ，４６ｂ・・・掛止部
４７，４８・・・止め部材      ５０・・・収納枠
５１，７３・・・電磁石    ５２・・・プランジャー  ５２ａ・・・フランジ
７１・・・本体カバー      ７２・・・球供給部材    ７２ｂ・・・球止部
７２ｃ・・・球受部        ７４・・・球入口        ７６・・・球通路板
７８・・・電磁石取付部    ７９・・・スペーサー    ８０・・・鉄片
８１・・・鉄板            ８２・・・角            Ｂ１・・・先行遊技球
Ｂ２・・・後続遊技球
【図１】
0003988194.tif 000002
【図２】
0003988194.tif 000003
【図３】
0003988194.tif 000004
【図４】
0003988194.tif 000005
【図５】
0003988194.tif 000006
【図６】
0003988194.tif 000007
【図７】
0003988194.tif 000008
【図８】
0003988194.tif 000009
【図９】
0003988194.tif 000010